(57)【要約】【課題】建築分野において、実用化レベルで拡張現実の技術を利用することができるＣＡＤシステムを提供する。【解決手段】建物の建築設計を行うＣＡＤデータを作成するＣＡＤデータ作成手段と、前記ＣＡＤデータ作成手段で作成した前記ＣＡＤデータを３次元モデルに起こし、３次元モデルデータを作成する３次元モデル作成手段と、前記３次元モデル作成手段で作成した前記３次元モデルデータから前記建物を拡張現実表示するためのＡＲマーカーを作成するＡＲマーカー作成手段とを備えた構成とされている。【選択図】図１
2018195212.tif 000002
【特許請求の範囲】
【請求項１】
建物の建築設計を行うＣＡＤデータを作成するＣＡＤデータ作成手段と、前記ＣＡＤデータ作成手段で作成した前記ＣＡＤデータを３次元モデルに起こし、３次元モデルデータを作成する３次元モデル作成手段と、前記３次元モデル作成手段で作成した前記３次元モデルデータから前記建物を拡張現実表示するためのＡＲマーカーを作成するＡＲマーカー作成手段とを備えていることを特徴とするＣＡＤシステム。
【請求項２】
前記ＡＲマーカー作成手段で作成した前記ＡＲマーカーを、対象物に付与する出力手段を備えていることを特徴とする請求項１に記載のＣＡＤシステム。
【請求項３】
前記出力手段によって前記ＡＲマーカーが付与される前記対象物は、前記建物の配置図であることを特徴とする請求項２に記載のＣＡＤシステム。
【請求項４】
前記配置図は、前記建物の確認申請書を作成する際に付随して作成されるものであることを特徴とする請求項３に記載のＣＡＤシステム。
【請求項５】
前記ＡＲマーカーは、携帯可能な端末で読み取り可能なものであることを特徴とする請求項１乃至４のいずれか１項に記載のＣＡＤシステム。
【請求項６】
前記ＡＲマーカーは、これを読み取った前記端末が有する表示画面で、前記建物を拡張現実表示することが可能なものであることを特徴とする請求項５に記載のＣＡＤシステム。
【請求項７】
前記端末の前記表示画面で拡張現実表示される前記建物は、実物大よりも縮尺されたものであることを特徴とする請求項６に記載のＣＡＤシステム。
【発明の詳細な説明】
【技術分野】
【０００１】
本発明は、拡張現実の技術を利用したＣＡＤシステムに関するものである。
【背景技術】
【０００２】
従来から、建物の建築設計を行うためのＣＡＤシステムに関しては、多数提案され、実施に供されている。
【０００３】
一方、近年、拡張現実（ＡＲ：Ａｕｇｍｅｎｔｅｄ Ｒｅａｌｉｔｙ）と呼ばれる技術が提案されているが、この拡張現実の技術は、特にナビゲーションシステムの分野などで実用化されつつあるものの、建築分野においては、あまり提案されていない。
【０００４】
例えば、特許文献１に、家を建てることを検討している土地に顧客が足を運んだ際に、その土地に希望の家を建てたらどのような景観になるのか、あるいはその土地にはどのようなタイプの家が合っているのかなどについて、顧客がその場で容易に確認することができるだけでなく、建築を検討中の家の外観などを様々な視点からリアルタイムで確認することもできる拡張現実型建物シミュレーション装置が提案されている程度である。
【先行技術文献】
【特許文献】
【０００５】
【特許文献１】特開２０１４−１１５９５７号公報
【発明の概要】
【発明が解決しようとする課題】
【０００６】
本発明は、以上のような従来の状況を鑑みてなされたものであって、その課題は、建築分野において、実用化レベルで拡張現実の技術を利用することができるＣＡＤシステムを提供することにある。
【課題を解決するための手段】
【０００７】
前記課題を解決するために、請求項１記載の発明にあっては、建物の建築設計を行うＣＡＤデータを作成するＣＡＤデータ作成手段と、前記ＣＡＤデータ作成手段で作成した前記ＣＡＤデータを３次元モデルに起こし、３次元モデルデータを作成する３次元モデル作成手段と、前記３次元モデル作成手段で作成した前記３次元モデルデータから前記建物を拡張現実表示するためのＡＲマーカーを作成するＡＲマーカー作成手段とを備えていることを特徴とする。
従って、ＣＡＤデータを作成することからＡＲマーカーを作成することまでを一連の流れで行うことができる。
【０００８】
請求項２記載の発明にあっては、前記ＡＲマーカー作成手段で作成した前記ＡＲマーカーを、対象物に付与する出力手段を備えていることを特徴とする。
従って、前記出力手段によって前記対象物に前記ＡＲマーカーを容易に付与することができる。
【０００９】
請求項３記載の発明にあっては、前記出力手段によって前記ＡＲマーカーが付与される前記対象物は、前記建物の配置図であることを特徴とする。
従って、前記配置図は、自由に持ち運びできる。
【００１０】
請求項４記載の発明にあっては、前記配置図は、前記建物の確認申請書を作成する際に付随して作成されるものであることを特徴とする。
従って、前記配置図は、前記建物の前記確認申請書を作成する際に付随して作成されるものなので、前記ＡＲマーカーを作成するための前記３次元モデルデータは既に作成されているため、前記ＡＲマーカーを作成するための時間的な無駄が無い。
【００１１】
請求項５記載の発明にあっては、前記ＡＲマーカーは、携帯可能な端末で読み取り可能なものであることを特徴とする。
従って、前記ＡＲマーカーの情報を前記端末で持ち運びすることができる。
【００１２】
請求項６記載の発明にあっては、前記ＡＲマーカーは、これを読み取った前記端末が有する表示画面で、前記建物を拡張現実表示することが可能なものであることを特徴とする。
従って、前記端末を持ち運んだ場所で、どこででも、前記建物を拡張現実表示することができる。
【００１３】
請求項７記載の発明にあっては、前記端末の前記表示画面で拡張現実表示される前記建物は、実物大よりも縮尺されたものであることを特徴とする。
従って、前記建物を、前記端末の前記表示画面で見やすい大きさで、拡張現実表示される。
【発明の効果】
【００１４】
請求項１記載のＣＡＤシステムにあっては、建物の建築設計を行うＣＡＤデータを作成するＣＡＤデータ作成手段と、前記ＣＡＤデータ作成手段で作成した前記ＣＡＤデータを３次元モデルに起こし、３次元モデルデータを作成する３次元モデル作成手段と、前記３次元モデル作成手段で作成した前記３次元モデルデータから前記建物を拡張現実表示するためのＡＲマーカーを作成するＡＲマーカー作成手段とを備えた構成とされている。
従って、ＣＡＤデータを作成することからＡＲマーカーを作成することまでを一連の流れで行うことができる。
その結果、ＣＡＤデータを作成することからＡＲマーカーを作成することまでを一連の流れで行うことができるので、前記建物を拡張現実表示するための前記ＡＲマーカーを、前記建物を建築設計するのに付随して作成することができる。
そして、前記ＡＲマーカーを、例えば、営業マンが、お客に建売建物を販売するための営業ツールとして用いることができるので、建築分野において、実用化レベルで拡張現実の技術を利用することができる。
【００１５】
請求項２記載のＣＡＤシステムにあっては、前記ＡＲマーカー作成手段で作成した前記ＡＲマーカーを、対象物に付与する出力手段を備えている。
従って、前記出力手段によって前記対象物に前記ＡＲマーカーを容易に付与することができる。
その結果、前記出力手段によって前記対象物に前記ＡＲマーカーを容易に付与することができるので、例えば、営業マンが、前記ＡＲマーカーが付与された前記対象物を、お客に手渡し、建売建物を販売するための営業ツールとして用いることができる。
【００１６】
請求項３記載のＣＡＤシステムにあっては、前記出力手段によって前記ＡＲマーカーが付与される前記対象物は、前記建物の配置図である。
従って、前記配置図は、自由に持ち運びできる。
その結果、前記配置図は、自由に持ち運びできるので、例えば、営業マンが、前記配置図を、お客に手渡し、建売建物を販売するための営業ツールとして用いることができるし、お客は、前記配置図を家に持ち帰ることができる。
【００１７】
請求項４記載のＣＡＤシステムにあっては、前記配置図は、前記建物の確認申請書を作成する際に付随して作成されるものである。
従って、前記配置図は、前記建物の前記確認申請書を作成する際に付随して作成されるものなので、前記ＡＲマーカーを作成するための前記３次元モデルデータは既に作成されているため、前記ＡＲマーカーを作成するための時間的な無駄が無い。
その結果、前記配置図は、前記建物の前記確認申請書を作成する際に付随して作成されるものなので、前記ＡＲマーカーを作成するための前記３次元モデルデータは既に作成されているため、前記ＡＲマーカーを作成するための時間的な無駄が無いので、前記配置図を作成するための作業性の向上を図ることができる。
【００１８】
請求項５記載のＣＡＤシステムにあっては、前記ＡＲマーカーは、携帯可能な端末で読み取り可能なものである。
従って、前記ＡＲマーカーの情報を前記端末で持ち運びすることができる。
その結果、前記ＡＲマーカーの情報を前記端末で持ち運びすることができるので、好きな場所で、前記建物を拡張現実表示させることができる。
【００１９】
請求項６記載のＣＡＤシステムにあっては、前記ＡＲマーカーは、これを読み取った前記端末が有する表示画面で、前記建物を拡張現実表示することが可能なものである。
従って、前記端末を持ち運んだ場所で、どこででも、前記建物を拡張現実表示することができる。
その結果、前記端末を持ち運んだ場所で、どこででも、前記建物を拡張現実表示することができるので、例えば、お客は、家で寝転んだ状態などでも、前記端末の前記表示画面を通して、前記建物を拡張現実表示させることができる。
【００２０】
請求項７記載のＣＡＤシステムにあっては、前記端末の前記表示画面で拡張現実表示される前記建物は、実物大よりも縮尺されたものである。
従って、前記建物を、前記端末の前記表示画面で見やすい大きさで、拡張現実表示される。
その結果、前記建物を、前記端末の前記表示画面で見やすい大きさで、拡張現実表示されるので、例えば、お客は、前記建物を購入するか否か、或いは、前記建物の実物を見学しに行くか否かを、より検討しやすくなる。
【図面の簡単な説明】
【００２１】
【図１】図１は、本発明の一実施形態のＣＡＤシステムの概略構成を示す模式図である。
【図２】図２は、本発明の一実施形態のＣＡＤシステムで作成された確認申請書及び配置図を示す平面図である。
【図３】図３は、本発明の一実施形態において、配置図をスマートフォンの表示画面に表示させた状態を示す説明図である。
【図４】図４は、本発明の一実施形態において、スマートフォンの表示画面で、配置図上に建物を拡張現実表示させた状態を示す説明図である。
【図５】図５は、本発明の一実施形態のＣＡＤシステムの使用方法を説明するためのフローチャートである。
【図６】図６は、本発明の一実施形態において、モニタに表示されるダイアログボックスを示す図である。
【発明を実施するための形態】
【００２２】
以下、本発明に係るＣＡＤシステムを、一実施形態に基づき、図面を参照して説明する。
【００２３】
先ず、一実施形態の構成について説明する。
図１は、本発明の一実施形態のＣＡＤシステム１０の概略構成を示している。
【００２４】
この一実施形態のＣＡＤシステム１０は、図１に示したように、建物の建築設計を行うＣＡＤデータを作成するＣＡＤデータ作成手段としてのＣＡＤデータ作成プログラム１１と、ＣＡＤデータ作成プログラム１１で作成したＣＡＤデータを３次元モデルに起こし、３次元モデルデータを作成する３次元モデル作成手段としての３次元モデル作成プログラム１２と、３次元モデル作成プログラム１２で作成した３次元モデルデータから建物を拡張現実表示するためのＡＲマーカーを作成するＡＲマーカー作成手段としてのＡＲマーカー作成プログラム１３とを備えている。
【００２５】
具体的には、コンピュータ本体１４内のハードディスクなどから成る記憶部１５内に、ＣＡＤデータ作成プログラム１１、３次元モデル作成プログラム１２、及びＡＲマーカー作成プログラム１３は、記憶されている。
【００２６】
また、コンピュータ本体１４内には、このＣＡＤシステム１０を制御する制御手段としての中央演算装置１６が設けられており、記憶部１５と接続されている。
【００２７】
また、コンピュータ本体１４の中央演算装置１６に接続される外側端子１７には、表示手段としてのモニタ１８が接続されている。
【００２８】
また、コンピュータ本体１４の中央演算装置１６に接続される外側端子１９には、操作手段としてのキーボード２０及びマウス２１が接続されている。
【００２９】
さらに、コンピュータ本体１４の中央演算装置１６に接続される外側端子２２には、ＡＲマーカー作成プログラム１３で作成したＡＲマーカーを、対象物としての用紙に付与する出力手段としてのプリンタ２３が接続されている。
【００３０】
この一実施形態では、図２に示したように、プリンタ２３によってＡＲマーカー２４が印刷されて付与される対象物としての用紙は、建物の配置図２５である。
【００３１】
ここで、この配置図２５では、印刷された建物の輪郭２６の中央部にＡＲマーカー２４が印刷されている。
【００３２】
さらに、配置図２５は、役所に提出するための建物の確認申請書２７を作成する際に付随して作成されるものである。
【００３３】
なお、確認申請書２７及び配置図２５には、Ａ３サイズの用紙が用いられる。
【００３４】
また、ＡＲマーカー２４は、図３に示したように、携帯可能な端末としてのスマートフォン２８の図示省略のカメラで読み取り可能なものである。
【００３５】
また、ＡＲマーカー２４は、図４に示したように、これを読み取った端末としてのスマートフォン２８が有する表示画面２９で、建物３０を拡張現実表示することが可能なものである。
【００３６】
さらに、端末としてのスマートフォン２８の表示画面２９で拡張現実表示される建物３０は、輪郭２６に沿って実物大よりも約１／１００スケールに縮尺されたものである。
【００３７】
なお、端末としてのスマートフォン２８には、ＡＲマーカー２４を読み取り可能且つ表示画面２９に建物３０を表示可能とする専用のソフトが、ダウンロードされ、さらにインストールされている。
【００３８】
次に、この一実施形態のＣＡＤシステム１０の使用方法について、図５のフローチャートに基づき簡単に説明する。
【００３９】
まず、ＣＡＤシステム１０のスイッチをオンにして起動させる（ステップＳ１）。
【００４０】
続いて、モニタ１８の表示画面に、図６に示したように、「配置図を作成しますか？」と問いかけるダイアログボックス３１が表示される。
このダイアログボックス３１には、「はい」のチェックボックス３２と「いいえ」のチェックボックス３３があり、どちらかのチェックボックスにチェックする（ステップＳ２）。
【００４１】
「はい」のチェックボックス３２をチェックした場合、まず、操作手段としてのキーボード２０及びマウス２１を操作することで、ＣＡＤデータ作成手段としてのＣＡＤデータ作成プログラム１１により、確認申請書２７が作成される（ステップＳ３）。
【００４２】
続いて、制御手段としての中央演算装置１６により自動で、３次元モデル作成手段としての３次元モデル作成プログラム１２により、ＣＡＤデータ作成プログラム１１で作成した確認申請書２７のＣＡＤデータが３次元モデルに起こされ、３次元モデルデータが作成され、ＡＲマーカー作成手段としてのＡＲマーカー作成プログラム１３により、３次元モデル作成プログラム１２で作成した３次元モデルデータから建物３０を拡張現実表示するためのＡＲマーカー２４が作成される（ステップＳ４）。
【００４３】
そして、印刷ボタンを押すと、出力手段としてのプリンタ２３から、確認申請書２７及びＡＲマーカー２４が付与された配置図２５が印刷されて出力される（ステップＳ５）。
【００４４】
一方、「いいえ」のチェックボックス３３をチェックした場合は、まず、操作手段としてのキーボード２０及びマウス２１を操作することで、ＣＡＤデータ作成手段としてのＣＡＤデータ作成プログラム１１により、確認申請書２７が作成される（ステップＳ６）。
【００４５】
そして、印刷ボタンを押すと、出力手段としてのプリンタ２３から、確認申請書２７のみが印刷されて出力される（ステップＳ７）。
【００４６】
次に、この一実施形態の作用効果について説明する。
【００４７】
この本発明の一実施形態のＣＡＤシステム１０は、図１に示したように、建物３０の建築設計を行うＣＡＤデータを作成するＣＡＤデータ作成手段としてのＣＡＤデータ作成プログラム１１と、ＣＡＤデータ作成プログラム１１で作成したＣＡＤデータを３次元モデルに起こし、３次元モデルデータを作成する３次元モデル作成手段としての３次元モデル作成プログラム１２と、３次元モデル作成プログラム１２で作成した３次元モデルデータから建物３０を拡張現実表示するためのＡＲマーカー２４を作成するＡＲマーカー作成手段としてのＡＲマーカー作成プログラム１３とを備えた構成とされている。
従って、建物３０のＣＡＤデータを作成することからＡＲマーカー２４を作成することまでを一連の流れで行うことができる。
その結果、建物３０のＣＡＤデータを作成することからＡＲマーカー２４を作成することまでを一連の流れで行うことができるので、建物３０を拡張現実表示するためのＡＲマーカー２４を、建物３０を建築設計するのに付随して作成することができる。
そして、ＡＲマーカー２４を、例えば、営業マンが、お客に建売建物を販売するための営業ツールとして用いることができるので、建築分野において、実用化レベルで拡張現実の技術を利用することができる。
【００４８】
ここで、ＡＲマーカー作成手段としてのＡＲマーカー作成プログラム１３で作成したＡＲマーカー２４を、対象物としての配置図２５に付与する出力手段としてのプリンタ２３を備えている。
従って、出力手段としてのプリンタ２３によって対象物としての配置図２５にＡＲマーカー２４を容易に付与することができる。
その結果、出力手段としてのプリンタ２３によって対象物としての配置図２５にＡＲマーカー２４を容易に付与することができるので、例えば、営業マンが、ＡＲマーカー２４が付与された対象物としての配置図２５を、お客に手渡し、建売建物を販売するための営業ツールとして用いることができる。
【００４９】
また、出力手段としてのプリンタ２３によってＡＲマーカー２４が付与される対象物は、建物３０の配置図２５である。
従って、配置図２５は、自由に持ち運びできる。
その結果、配置図２５は、自由に持ち運びできるので、例えば、営業マンが、配置図２５を、お客に手渡し、建売建物を販売するための営業ツールとして用いることができるし、お客は、配置図２５を家に持ち帰ることができる。
【００５０】
さらに、配置図２５は、建物３０の確認申請書２７を作成する際に付随して作成されるものである。
従って、配置図２５は、建物３０の確認申請書２７を作成する際に付随して作成されるものなので、ＡＲマーカー２４を作成するための３次元モデルデータは既に作成されているため、ＡＲマーカー２４を作成するための時間的な無駄が無い。
その結果、配置図２５は、建物３０の確認申請書２７を作成する際に付随して作成されるものなので、ＡＲマーカー２４を作成するための３次元モデルデータは既に作成されているため、ＡＲマーカー２４を作成するための時間的な無駄が無いので、配置図２５を作成するための作業性の向上を図ることができる。
【００５１】
また、ＡＲマーカー２４は、携帯可能な端末としてのスマートフォン２８で読み取り可能なものである。
従って、ＡＲマーカー２４の情報を端末としてのスマートフォン２８で持ち運びすることができる。
その結果、ＡＲマーカー２４の情報を端末としてのスマートフォン２８で持ち運びすることができるので、好きな場所で、建物３０を拡張現実表示させることができる。
【００５２】
また、ＡＲマーカー２４は、これを読み取った端末としてのスマートフォン２８が有する表示画面２９で、建物３０を拡張現実表示することが可能なものである。
従って、端末としてのスマートフォン２８を持ち運んだ場所で、どこででも、建物３０を拡張現実表示することができる。
その結果、端末としてのスマートフォン２８を持ち運んだ場所で、どこででも、建物３０を拡張現実表示することができるので、例えば、お客は、家で寝転んだ状態などでも、端末としてのスマートフォン２８の表示画面２９を通して、建物３０を拡張現実表示させることができる。
【００５３】
さらに、端末としてのスマートフォン２８の表示画面２９で拡張現実表示される建物３０は、実物大よりも縮尺されたものである。
従って、建物３０を、端末としてのスマートフォン２８の表示画面２９で見やすい大きさで、拡張現実表示される。
その結果、建物３０を、端末としてのスマートフォン２８の表示画面２９で見やすい大きさで、拡張現実表示されるので、例えば、お客は、建物３０を購入するか否か、或いは、建物３０の実物を見学しに行くか否かを、より検討しやすくなる。
【００５４】
以上、本発明に係るＣＡＤシステムの一実施形態について図面を参照して詳述してきたが、具体的な構成は、この一実施形態に限らず、本発明の要旨を逸脱しない程度の設計的変更は、本発明に含まれる。
【００５５】
例えば、上記した一実施形態では、ＡＲマーカー２４を付与する対象物を配置図２５としたが、これに限定されず、パンフレットなどにＡＲマーカー２４を付与して実施してもよい。
【００５６】
また、上記した一実施形態では、建売建物の営業ツールとして利用することのみを述べたが、これに限定されず、注文建物の営業ツールとして利用することもできる。
【００５７】
さらに、上記した一実施形態では、拡張現実表示される建物３０の色については述べなかったが、色情報のデータもあれば、色付きで建物３０を拡張現実表示させることもできる。
【産業上の利用可能性】
【００５８】
本発明に係るＣＡＤシステムは、建物の建築設計を行うことができるだけでなく、営業ツールとしても利用することができるので、産業上利用可能性を有している。
【符号の説明】
【００５９】
１０    ＣＡＤシステム
１１    ＣＡＤデータ作成プログラム（ＣＡＤデータ作成手段）
１２    ３次元モデル作成プログラム（３次元モデル作成手段）
１３    ＡＲマーカー作成プログラム（ＡＲマーカー作成手段）
１４    コンピュータ本体
１５    記憶部
１６    中央演算装置（制御手段）
１７    外側端子
１８    モニタ（表示手段）
１９    外側端子
２０    キーボード（操作手段）
２１    マウス（操作手段）
２２    外側端子
２３    プリンタ（出力手段）
２４    ＡＲマーカー
２５    配置図（対象物）
２６    建物の輪郭
２７    確認申請書
２８    スマートフォン（端末）
２９    端末の表示画面
３０    建物
３１    ダイアログボックス
３２    チェックボックス
３３    チェックボックス
【図１】
2018195212.tif 000003
【図２】
2018195212.tif 000004
【図３】
2018195212.tif 000005
【図４】
2018195212.tif 000006
【図５】
2018195212.tif 000007
【図６】
2018195212.tif 000008